(57)【要約】      （修正有）【課題】ミシン目が全く無いか、あっても一直線状のミシン目のトイレットペーパーをペーパーホルダーのカッターで切ると、ペーパーの先端はカッターの下になり、ペーパーを引き出すために先端をつまむには、ペーパーを回転させるかカッターを持ち上げる必要があった。カット後にペーパーの先端の一部がカッターからはみ出した状態になり、ペーパーの回転またはカッターの持ち上げの動作をせずにペーパーをつまむことが出来るトイレットペーパーを提供する。【解決手段】トイレットペーパー７に一定の間隔で配するミシン目８の形状を、ペーパーの左右は縁から直角に入る直線とし、中央部にはペーパーの引き出し方向に向けて舌状の凸部９を設ける。【選択図】図１
2017077447.tif 000002
【特許請求の範囲】
【請求項１】
トイレットペーパーに一定の間隔で配するミシン目の形状を、ペーパーの左右は縁から直角に入る直線とし、中央部にはペーパーの引き出し方向に向けて舌状の凸部を設けたことを特徴とする紙がつまみ易くなるトイレットペーパーのミシン目。
【請求項２】
ミシン目の舌状の凸部の形状を半円状とした請求項１の紙がつまみ易くなるトイレットペーパーのミシン目。
【発明の詳細な説明】
【技術分野】
【０００１】  本発明はミシン目の形状を工夫することにより、紙を引き出す時、紙がつまみ易くなるトイレットペーパーに関するものである。
【背景技術】
【０００２】  現在市販されているトイレットペーパーはミシン目が無いか、あっても一直線状のものである。一方特許文献１に示すＶ字形、曲線形、斜線のものが知られている。
【先行技術文献】
【特許文献】
【０００３】
【特許文献１】  特開平１１−２３５２９２号公報
【発明の概要】
【発明が解決しようとする課題】
【０００４】  ミシン目が全く無いか、あっても一直線状のミシン目が入ったトイレットペーパーをペーパーホルダーのカッターで切ると、ペーパーの先端はカッターの下になる。
次にペーパーを引き出すために先端をつまむには、ペーパーを回転させるかカッターを持ち上げる必要がある。
ミシン目の形状を工夫することにより、カット後にペーパーの先端の一部がカッターからはみ出した状態になり、ペーパーの回転またはカッターの持ち上げの動作をせずにペーパーをつまむことが出来るようになる。【０００５】  特許文献１の中で示された３種の案はつまみ部分が出来る工夫である。
しかしこれ等の案には以下に述べる欠点がある。
ミシン目でカットしようとする人にとっては位置が決めにくいのである。
これ等の案は、ある程度どこでカットしても良いのだが、逆に言えばこの位置が最適という場所が無い。ミシン目でカットしようとする人が戸惑う可能性がある。
また、Ｖ字形案、斜線案の場合はカットする位置によっては、切り取って利用するペーパーの末端がＶ字状または斜めに大きく欠損してしまう。利用者は通常自分が必要とする量をカッターの刃の部分まで引き出してカットする。この場合は切り取った分量が思いのほか欠けてしまい、利用者によってはこれでは不十分だと不満に思う可能性がある。【０００６】  トイレットペーパーは家庭だけではなく店舗、学校、駅等あらゆる場所で使用される。出先でトイレを利用する人はセットされたペーパーを使うのであり、選択の余地が無い。使用する人が迷ったり不満に思ったりするような形状は避けるべきである。
また、Ｖ字形案、曲線形案は、製造過程で誤差によりミシン目のパターンの横ずれが生じた場合、その不具合は認識され易く、誤差発生防止のために厳しく精度が求められよう。
本発明は以上の問題点を解決するものである。
【課題を解決するための手段】
【０００７】  トイレットペーパーに一定の間隔で配するミシン目の形状を、ペーパーの左右は縁から直角に入る直線とし、中央部にはペーパーの引き出し方向に向けて舌状の凸部を設ける。以上の構成よりなる紙がつまみ易くなるトイレットペーパーのミシン目。
【発明の効果】
【０００８】  本発明のミシン目の形状にすると、左右の直線部にカッターの刃を当ててカットすれば、ペーパーの破断形状はミシン目の形状と全く同じになり、舌状の凸部がカッターの刃からはみ出て、次にペーパーを引き出すためのつまみとなる。これによりペーパーの回転またはカッター持ち上げの動作が不要になる。
本発明のミシン目の左右の直線部は、その線の方向がカッターの刃先の線と平行になっているので、ミシン目でカットする場合はこの場所が適切な位置となる。この事は初めての利用者にも直ぐに理解されるだろう。
また、本発明も切り取った方のペーパーの末端に欠損部を生じるが、その程度は先に述べたＶ字形案、斜線案で大きく欠損した場合よりは小さい。【０００９】  ミシン目に合わせるとカットし易いが、それ以外の位置でカットするのになんら支障は無いという人も多いと思われる。現在普及している一直線状のミシン目ではどちらでカットしても破断形状に違いは生じない。共にペーパー先端がカッターの下になる。しかし本発明のミシン目の場合は、きちんと適切な位置に合わせてカットするとつまみ部分が出来る利点がある。カットする位置には拘らないという人でもメリットがあるならミシン目でカットしようとする人が居ると思われる。ミシン目の機能が高まっているからである。
また、カット位置まで引き出す時に舌状の凸部が先行して出て来るので目安になり便利である。
【図面の簡単な説明】
【００１０】
【図１】本発明の舌状の凸部が台形状のミシン目の正面図
【図２】本発明の舌状の凸部が台形状の斜視図
【図３】本発明の舌状の凸部が半円状のミシン目の正面図
【発明を実施するための形態】
【００１１】  本発明の実施の形態を説明する。
トイレットペーパー（７）に一定の間隔で配するミシン目（８）の形状の説明となる。
トイレットペーパー（７）上に於いて、左右両端の左端（１）と右端（６）を定める。
左端（１）から、縁に対し直角に中央部方向へ一定の距離を持つ位置（２）を定め、両者を結ぶ線をミシン目にする。同様に右端（６）からも、縁に対し直角に中央部方向へ前者と同じ距離を持つ位置（５）を定め、両者を結ぶ線をミシン目にする。これ等はミシン目全体（８）を構成する内の左右両側の直線部分である。
左側の直線部の中央寄りの端（２）と右側の直線部の中央寄りの端（５）の間のペーパーの中央部に、ペーパーの引き出し方向に張り出す舌状の凸部（９）を設ける。
その形は左右対称の台形を形成するようにする。
左側の直線部の中央寄りの端（２）と右側の直線部の中央寄りの端（５）とを仮に直接結ぶ線を台形の上底と見なして、この上底より長さの短い下底を設定する。
下底の左端を（３）、右端を（４）とする。これ等上底下底の各点（２）（３）（４）（５）（２）を結ぶと台形になり、下底が舌状の凸部（９）の先端部になる。
ミシン目は、左側の直線部の中央寄りの端（２）と下底の左端（３）、下底の左端（３）と下底の右端（４）、下底の右端（４）と右側の直線部の中央寄りの端（５）を結ぶ各線に入れる。
左側の直線部の中央寄りの端（２）と右側の直線部の中央寄りの端（５）を直接結ぶ上底と見なした部分には入れない。
以上をまとめて述べれば、定めた各点（１）（２）（３）（４）（５）（６）を順に結ぶ線をミシン目にしたものが本発明のミシン目（８）である。
本発明は以上の形状をしたトイレットペーパーのミシン目である。
【００１２】  本発明のミシン目（８）でトイレットペーパー（７）をカットする場合は、ペーパーカッター（１０）の刃を、左端（１）あるいは右端（６）の位置に合わせてカットすれば、ホルダーに残った方のペーパーの破断線（１１）の形状はミシン目（８）の形状と全く同じになり、ペーパーの先端部（１２）の内、舌状の凸部（９）である台形状の部分がペーパーカッター（１０）からはみ出す。
この部分が次にペーパーを引き出すためのつまみになるのである。
【００１３】  ミシン目（８）の舌状の凸部（９）の形状については、上記では複数の直線で構成し台形状としたが、これは直線でなく曲線でも良く、半円状の形も一案となる。
さらに台形状と半円状との中間の形も在り得て、台形の折れ曲がりの角を曲線にして滑らかにした形等、形状は多様に考えられる。
【符号の説明】
【００１４】  １ミシン目の左端、２ミシン目の左側の直線部と台形状の凸部の接続点、
３ミシン目の台形状の凸部の先端左角、４ミシン目の台形状の凸部の先端右角、
５ミシン目の右側の直線部と台形状の凸部の接続点、６ミシン目の右端、
７トイレットペーパー、８ミシン目、９舌状の凸部、１０ペーパーカッター、
１１ペーパーの破断線、１２破断後のペーパーの先端部
【図１】
2017077447.tif 000003
【図２】
2017077447.tif 000004
【図３】
2017077447.tif 000005